(57)【特許請求の範囲】
【請求項１】
床面に並べて配置されるタイルの隙間に挿入される板状体であり、タイル間を連結する連結部に嵌合可能な嵌合部を備え、さらに、タイルから突出する部位にタイル上の物品の移動を阻止するように固定するための係合片を係合可能な係合部とを備えることを特徴とする固定用治具。
【請求項２】
前記嵌合部は連結部に外接する大きさ以上の円形部を有する略Ｃ字状の切込みであり、この切込みは前記連結部の最短幅以上の幅を有する連結部挿入口を備え、さらに、板状体は、前記嵌合部を連結部に嵌合するときにはタイル上面から突出すると共に嵌合部を連結部に嵌合した状態で嵌合部を中心に傾動して前記係合部をタイルから突出させるときにはタイルから突出しない摘み部を備える請求項１に記載の固定用治具。
【請求項３】
前記摘み部は嵌合部を中心に係合部に対して略直角となる位置に形成されており、摘み部の自重によって傾動して摘み部をタイルから突出させない位置に後退させると共に前記係合部をタイルから突出させるものである請求項２に記載の固定用治具。
【請求項４】
前記板状体は係合部をタイルから突出させた状態で床面に当接する底辺を有する請求項１〜請求項３のいずれかに記載の固定用治具。
【請求項５】
請求項１〜請求項４のいずれかに記載の固定用治具を、床面に並べて配置されたタイルの隙間に挿入し、タイル間を連結する連結部に嵌合部を嵌合し、かつ、係合部に係合片を係合することにより、タイル上への物品の固定を行うことを特徴とする物品の固定工法。
【発明の詳細な説明】
【技術分野】
【０００１】
本発明は、固定用治具および物品の固定工法に関する。
【背景技術】
【０００２】
従来、屋上、バルコニーなどの屋外においてセラミック、木材、レンガなどからなるタイルを並べて配置することにより、床面を保護したりエクステリアに変化を付けることが行われている。また、タイル上に椅子、テーブル、パラソル，物置などの物品を置く場合には、物品が風などによって飛ばされないように設置することがあり、床面にアンカを打設するなどして突起物を埋設させ、この突起物に物品を直接固定したり、ワイヤなどを用いて縛り付けることが行われている。
【０００３】
特許文献１には、連結が容易で、短時間で施工が可能な床用タイル及び床用タイルの施工方法が記載されており、先端側が幅広くテーパ上に形成されたジョイント凸部と、これに嵌合するジョイント凹部とを備えて、複数のタイルを床面に並べて連結可能とすることが記載されている。このタイルは互いに連結された状態で床面に配置されているので容易には移動することはない。
【先行技術文献】
【特許文献】
【０００４】
【特許文献１】特開２０１１−１８０２号公報
【発明の概要】
【発明が解決しようとする課題】
【０００５】
しかしながら、上述の従来の床用タイルの上に物品を搭載するときに、別途のアンカの打設などを行なわない限り、タイル上の物品を固定するための手段がないが、アンカの打設を行なうと、物品の撤去後にもアンカだけが残されるため、つまずきの元となってしまうという問題がある。
【０００６】
そこで、床面に敷き詰められるタイルの連結部となるジョイント凸部などにワイヤを巻回させるなどし、このワイヤによって物品を固定させることも行なわれている。ところが、この固定用のワイヤをジョイント凸部に巻回させるためには、床用のタイルを連結する時点で搭載する物品の配置をある程度決めて予めジョイント凸部にワイヤを巻回させておく必要があり、あまり現実的ではなかった。
【０００７】
本発明は上述の事柄を考慮に入れてなされたものであり、施工が完了したタイルに容易に取り付けられて物品を固定するための係合部を形成することができる固定用治具および物品の固定工法を提供することを目的とする。
【課題を解決するための手段】
【０００８】
前記課題を解決するため、第１発明は、床面に並べて配置されるタイルの隙間に挿入される板状体であり、タイル間を連結する連結部に嵌合可能な嵌合部を備え、さらに、タイルから突出する部位に、タイル上の物品の移動を阻止するように固定するための係合片を係合可能な係合部を備えることを特徴とする固定用治具を提供する（請求項１）。
【０００９】
本発明の固定用治具によれば、嵌合部を連結部に嵌合することにより、板状体をタイルに対して抜け止め支持させることができる。また、係合部がタイルの上面から突出するので、この係合部にワイヤーやフックなどを容易に係合してタイル上に載置される物品を固定することができる。また、嵌合部と連結部の係合が堅固なものであるから、タイルの配置が完了した後にでも板状体をタイル上の任意の位置において取り付けて、この板状体に設けた係合部が抜け止め支持されているので、この板状体の係合部を介して物品を固定的に配置することができる。
【００１０】
前記板状体は例えば強度的に優れた金属からなることが好ましく、より好ましくは、ステンレスなどの耐候性に優れた金属からなるものである。しかしながら、本発明は板状体の素材が金属であることに限定されるものではなく硬質の合成樹脂を用いて形成してもよい。板状体の厚みは並べて配置されるタイルの隙間以下の厚みであり、少なくとも１ｍｍ程度薄く形成してあることが好ましく、十分な強度を確保できるように基材の硬さにもよるが数ミリ以上の厚さを備えるものであることが好ましい。
【００１１】
前記嵌合部は連結部の形状に合わせて容易には外れない程度の大きさに形成されていることが好ましく、また、前記係合部は例えばワイヤーまたはフックを係合可能な貫通孔であることにより、容易に形成できると共に、固定用治具を湾曲させることなく形成された一枚の板状体とすることができるので、固定用治具の保管および運搬を容易とすることができる。タイル上面から突出する係合部には棒状のフックなどが挿入されることにより、係合部が連結部と嵌合部の嵌合状態を保持する抜け止めとなるように支持することが可能となる。
【００１２】
前記嵌合部は連結部に外接する大きさ以上の円形部を有する略Ｃ字状の切込みであり、この切込みは前記連結部の最短幅以上の幅を有する連結部挿入口を備え、さらに、板状体は、前記嵌合部を連結部に嵌合するときにはタイル上面から突出すると共に嵌合部を連結部に嵌合した状態で嵌合部を中心に傾動して前記係合部をタイルから突出させるときにはタイルから突出しない摘み部を備える場合（請求項２）には、前記連結部挿入口に連結部の最短幅部分を導入するように板状体を移動させて嵌合部を連結部に嵌合させた後に、嵌合部を中心に傾動することにより、固定用治具が外れることを防止でき、連結部に対する嵌合部の嵌合状態を確実に保つことができる。
【００１３】
また、前記連結部挿入口を連結部に差し込むときには前記摘み部がタイルから突出するので、摘み部を手で摘まんで作業を行なうことができる。次いで、嵌合部を連結部に嵌合した後に、嵌合部を中心に傾動させることにより、前記係合部をタイルから突出させると同時に摘み部をタイルから突出させないようにすることができる。
【００１４】
とりわけ、隣り合うタイル間を連結する連結部の断面形状は横幅が縦幅よりも薄く形成してある場合には、前記連結部挿入口は前記横幅と同じか、あるいは僅かに広く形成されるものである。また、この場合摘み部と連結部挿入口の位置関係は嵌合部を中心として対向位置とすることにより、摘み部を摘まんだ状態で、固定用治具を上方から下方に差し込むようにして連結部に嵌合部を嵌合させることができるので操作性が良い。
【００１５】
前記摘み部は嵌合部を中心に係合部に対して略直角となる位置に形成されており、摘み部の自重によって傾動して摘み部をタイルから突出させない位置に後退させると共に前記係合部をタイルから突出させるものである場合（請求項３）には、摘み部を摘まんで嵌合部を連結部に嵌合させた後に、この摘み部を傾動させるときに自重によって傾動して、摘み部をタイルの間に収容すると共に係合部をタイルから突出させることができるので、連結部への取り付けが極めて容易である。
【００１６】
前記板状体は係合部をタイルから突出させた状態で床面に当接する底辺を有する場合（請求項４）には、係合部をタイルから突出させた状態を安定させることができるので、さらに操作性が向上する。
【００１７】
第２発明は、前記固定用治具を、床面に並べて配置されたタイルの隙間に挿入し、タイル間を連結する連結部に嵌合部を嵌合し、かつ、係合部に係合片を係合することにより、タイル上への物品の固定を行うことを特徴とする物品の固定工法を提供する（請求項５）。すなわち、床面へのタイルの配置が完了した後に、タイル間を連結する連結部に取り付けられることにより、タイル上の物品を固定できる。また、物品の配置を変更するときにも、連結部に嵌合させた固定用治具を取り外し、容易に別の連結部に付け替えることができる。さらに、物品の固定が不要となった場合には固定用治具を取り外すことにより、タイル間に不要な突部が形成されることはない。
【発明の効果】
【００１８】
前述したように、本発明によれば、既存のタイルの間に容易かつ確実に固定用治具を係合させて、その係合部に物品を固定することができる。また、タイル上の物品を移動させる場合には、固定用治具の取付け位置を容易に移動させることができる。さらに、物品を撤去する時には固定用治具も撤去することによりタイル面に不要な凸部を無くすことができる。
【図面の簡単な説明】
【００１９】
【図１】本発明の第１実施形態に係る固定用治具を用いる例を示す斜視図である。
【図２】床面に敷き詰められるタイルの一例を示す図である。
【図３】前記固定用治具の構成を示す図である。
【図４】前記固定用治具の動作を説明する図である。
【発明を実施するための形態】
【００２０】
以下、図１〜図４を用いて、本発明の実施形態にかかる固定用治具１および物品の固定工法を説明する。
【００２１】
図１に示すように、屋上、バルコニーなどの野外の床面に縦横に並べてタイル２を配置することにより、床面の保護を行なうと共に統一されたタイル地デザインの床面を形成してエクステリアを整えるように構成している。このタイル２上には、例えばテーブル３Ａ、椅子３Ｂ、物置３Ｃなどの物品３が配置され、物品３が配置されるタイル２の隙間には本発明の固定用治具１が取り付けられることにより、フック４Ａ、ワイヤ４Ｂ、ボルト４Ｃなどの固定具によって物品３の固定を行なうことができるように構成している。
【００２２】
図２に示すように、各タイル２は、隙間ｄを開けて隣接するタイル２と連結されるように、断面形状が略長方形の連結部５を備え、この連結部５が隣接するタイル２の連結凹部６に嵌合することにより、隣接するタイル２間をしっかりと連結できるように構成している。また、７はタイル２および連結部５を床面から浮かせた状態で支持するための脚であり、本例の場合はタイル２の四隅と中間位置およびタイル２の中心位置を含み略等間隔に配置された複数個所においてタイル２を支持できるものである。
【００２３】
前記連結部５の断面形状はその横幅Ｗが縦幅Ｈよりも狭くなるように形成しており、その先端部には前記連結凹部６に対して抜け止めとなる膨出部５Ａを形成している。
【００２４】
上述のように構成されたタイル２は床面に規則正しく配置でき、各タイル２の自重のみならず、連結される周辺のタイル２の自重によって安定して設置できるが、タイル２が設置される床面の四隅など、所定の間隔を開けてアンカなどによって床面に固定されるものであってもよい。また、隣接するタイル２の隙間ｄと脚７によってタイル２周辺の空間が形成されているので水はけに優れており、放熱の点でも優れている。
【００２５】
図３に示すように、本実施形態の固定用治具１の形状は、前記タイル２の隙間ｄに挿入される例えばステンレスからなる板状体であり、その厚みは前記隙間ｄと同じか僅かに薄く形成されている。すなわち、固定用治具１をがたつきなく隙間ｄ内に挿入させたり傾動させたりできる程度に寸法調整してあり、材料にもよるが０．１ｍｍ以上の大きさの遊びがあれば十分である。
【００２６】
前記固定用治具１は、タイル２間を連結する連結部５に嵌合可能であるようにその断面形状の外接円と同じ径か僅かに大きい径を有する円形部１０Ａおよび連結部５の最短幅（本実施例の場合横幅Ｗ）と同じか僅かに大きい幅Ｇを有する連結部挿入口１０Ｂを備える略Ｃ字状の切込形状の嵌合部１０と、タイル２から突出する部位にタイル２上の物品の移動を阻止するように固定するための係合片を係合可能な係合部１１と、前記円形部１０Ａの中心Ｏ（嵌合部１０の中心）を中心として係合部１１に対して略直角となる位置に形成されて指で容易に摘めるように形成された摘み部１２と、前記中心Ｏを中心として係合部１１に対して反対側に形成された直線部分からなる底辺１３とを備えるものである。
【００２７】
前記係合部１１は前記底辺１３を床面に接地する姿勢で配置した状態でタイル２の上面から突出するように延設させた突出片１１Ａの、タイル２より突出する部分に形成された貫通穴からなり、この係合部１１に図１の拡大図に示すフック４Ａやボルト４Ｃなどの係合片を挿通できるように構成していている。また、本実施形態のように構成された固定用治具１は、その重心Ｏｗが嵌合部１０の中心Ｏよりも図示左側かつ僅かに下側に位置するので、係合部１１が上方に位置する状態で固定用治具１にその自重によって図示反時計回りの回転トルクがかかっており、係合部１１がタイル２の上面に突出した状態を保ちやすいように形成している。
【００２８】
前記摘み部１２は前記中心Ｏを中心として前記係合部１１と約９０度異なる位相に形成され、嵌合部１０を連結部５に嵌合させる操作を行うときにタイル２の上に突出するように形成された延設部である摘み部１２を手で摘んだ状態で、連結部挿入口１０Ｂを連結部５に位置合わせして嵌合させる一連の操作を行うことができるように形成されている。また、１２Ａ、１２Ｂに示すように摘み部１２の両側部分は斜めに傾斜する傾斜部分となるように形成されており、固定用治具１の軽量化と製造コストの削減を図るとともに、固定用治具１が嵌合部１０を中心に幾らか傾動でき、傾動したとしてもタイル２上面から突起物が生じない形状に形成している。
【００２９】
前記底辺１３は固定用治具１の傾動の中心Ｏに対して重心Ｏｗ側に寄った位置に形成しており、これによって係合部１１をタイル２から突出した状態を保ちやすいように形成している。
【００３０】
なお、固定用治具１の外周部は円弧を描くように丸みを帯びた外形となるように形成しており、これによって搬送時や施工時、あるいは施工後の物品使用時においても安全性の向上を図るとともに施工時の引っ掛かりを防止して操作性が向上する。
【００３１】
図４に示すように、本発明の固定用治具１を連結部５に連結するときには作業者は摘み部１２を指で摘み、連結部挿入口１０Ｂを下向きに開放させた姿勢で矢印Ａに示すように下方に移動させると、連結部挿入口１０Ｂの幅Ｇが連結部５の幅Ｗと同じが僅かに大きく形成されているので、連結部５に嵌合部１０を嵌合させることができる。このとき、円形部１０Ａの径は連結部５に外接する円の大きさと同じか僅かに大きく形成してあり、連結部５に嵌合する嵌合部１０はその中心Ｏまわりに回動自在となる。
【００３２】
また、固定用治具１の重心Ｏｗは前記中心Ｏよりも図示僅かに左側かつ上側に位置するので、作業者が摘み部１２から手を放すと、固定用治具１が自然と図示反時計回りに傾動する。次いで前記傾斜部分１２Ａがタイル２の下方に隠れる程度に傾動すると前記底辺１３が床面に当接するようになり、固定用治具１は自重によって底辺１３が完全に床面に当接するまで傾動する。なお、本実施形態では摘み部１２がタイル２内に収容される時点で、係合部１１は中心Ｏの真上から２２度傾動させた位置となるが、この状態でも係合部１１がタイル２の上に突出した状態を保っている。
【００３３】
逆に、固定用治具１を図示反時計回りに回動させようとすると、本実施形態の場合、係合部１１が中心Ｏの真上から４度傾動させた位置において底辺１３が底面に当接するので、それ以上傾動することがない。したがって、固定用治具１は係合部１１にフック４Ａ（図１参照）などの係合片を係合させた状態で２６度の範囲で傾動させることができ、ワイヤ４Ｂなどを用いて椅子３Ｂのようにタイル２上に移動可能な範囲をある程度限定して固定するのに適している。
【００３４】
また、本実施形態の連結部挿入口１０Ｂの幅Ｇは、連結部５の縦方向の幅Ｈよりは小さく形成しており、これによって係合部１１がタイル２から突出している状態では固定用治具１が連結部５から外れることがないように構成している。なお、タイル２は隣接するタイル２に連結されているので、連結部５には周辺のタイル２の自重による押さえが働くので、物品３を安定して固定することができる。
【００３５】
上述のように本発明の固定用治具１を用いることにより、床面に対するタイル２の敷設を完了した後で、任意の位置の連結部５に嵌合部１０を嵌合させて固定用治具１を抜け止め支持させることができ、この固定用治具１の係合部に係合片４Ａ，４Ｃを係合させてタイル上への物品の固定を行うことができる。したがって、タイル２上の物品３の配置換えを任意に行うことができ、自由度が増す。
【００３６】
前記固定用治具１を取り外すときは、図４を用いて説明した前記工程の逆を行うことにより容易に取り外すことができる。
【００３７】
また、固定用治具１を取り付けるタイル２は連結部５によって隣接するタイル２と連結され、かつ、タイル２間に隙間ｄを形成するものであれば、どんな形状のものであっても適用可能であることは言うまでもない。すなわち、連結部５の断面形状が縦長の長方形であるものだけでなく、横長の長方形に形成されたものであってもよい。この場合、摘み部１２と連結部導入口１０Ｂの位置関係および係合部１１と連結部導入口１０Ｂの位置関係は中心Ｏに対して９０度異なる位相に形成し、摘み部１２を用いて横方向に移動させることにより、連結部５に対する嵌合部１０の着脱を行うようにしてもよい。
【００３８】
さらに、連結部５の断面形状が正方形の場合、係合部１１と連結部導入口１０Ｂの位置関係は中心Ｏに対して９０度異なる位相に形成して、係合部１１がタイル２の上に突出している状態では抜け止め支持させることができる。
【符号の説明】
【００３９】
１  固定用治具
２  タイル
３  物品
４Ａ，４Ｃ  係合片
５  連結部
１０  嵌合部
１１  係合部
１２  摘み部
１３  底辺
ｄ  隙間
Ｏ  中心
Ｏｗ  重心
【要約】
【課題】
施工が完了したタイルに容易に取り付けられて物品を固定するための係合部を形成することができる固定用治具および物品の固定工法を提供する。
【解決手段】
床面に並べて配置されるタイル２の隙間ｄに挿入される板状体であり、タイル２間を連結する連結部５に嵌合可能な嵌合部１０を備え、さらに、タイル２から突出する部位に、タイル２上の物品３の移動を阻止するように固定するための係合片４Ａ，４Ｃを係合可能な係合部１１を備える。
【選択図】図１【図１】
0005806788.tif 000002
【図２】
0005806788.tif 000003
【図３】
0005806788.tif 000004
【図４】
0005806788.tif 000005